(57)【要約】      （修正有）【課題】通気調整機能を具えた爬虫類飼育箱装置の提供。【解決手段】飼育箱装置１前方に多数の通気孔を具えた板面３０が設けられ、蓋２０の糸網と共同で上下の空気対流作用を形成し、該飼育箱の両側に開放部が設けられ、該開放部の外側に糸網６０が設けられ、フレーム１０と両側面板にあって開放部の上部と底部に対応する部分に上下の二つのスライドレールが設けられ、両側に窓板７１を設置するのに供され、この二つの窓板により飼育箱の通気機能が調整されて左右の空気対流作用が形成されることを特徴とする。【選択図】図２
0003110647.tif 000002
【実用新案登録請求の範囲】
【請求項１】
通気調整機能を具えた爬虫類飼育箱装置において、該爬虫類飼育箱装置はフレームと各側板片で組成された所定形状、サイズとされ且つ上部と両側に開放部が設けられた箱体とされ、該飼育箱装置のフレーム上部に蓋が設けられ、フレーム前面に開放部に対応して上下のスライドレールが設けられ、２片の開閉可能な戸板が設置され、フレーム両側の開放部の外側に対応する位置にそれぞれ糸網が設けられ、該フレーム両側の開放部の内側に対応する部分に上下のスライドレールが設けられ、２片の開閉可能な窓板が設けられ、窓板により飼育箱装置両側の空気の対流と不対流が調整可能であることを特徴とする、通気調整機能を具えた爬虫類飼育箱装置。
【請求項２】
請求項１記載の通気調整機能を具えた爬虫類飼育箱装置において、飼育箱装置の蓋の表面に開放部と糸網が設けられたことを特徴とする、通気調整機能を具えた爬虫類飼育箱装置。
【請求項３】
請求項１記載の通気調整機能を具えた爬虫類飼育箱装置において、飼育箱装置の２片の戸板に錠が設けられたことを特徴とする、通気調整機能を具えた爬虫類飼育箱装置。
【請求項４】
請求項１記載の通気調整機能を具えた爬虫類飼育箱装置において、飼育箱装置の前面板片に複数の通気孔を具えた板面が設けられたことを特徴とする、通気調整機能を具えた爬虫類飼育箱装置。
【請求項５】
請求項１記載の通気調整機能を具えた爬虫類飼育箱装置において、飼育箱装置の戸板の接続辺に密封パッドが設けられたことを特徴とする、通気調整機能を具えた爬虫類飼育箱装置。
【考案の詳細な説明】
【技術分野】
【０００１】
本考案は通気調整機能を具えた爬虫類飼育箱装置に係り、爬虫類の飼育箱において、飼育箱の両側の開放部に糸網と開閉可能な二つの窓板を設けて、飼育箱の左右空気の対流を形成するか或いは対流を形成しないように通気機能を調整できる、爬虫類飼育箱装置に関する。
【背景技術】
【０００２】
本考案者による特許文献１に記載の爬虫類飼育箱装置は、網蓋のフック及び弾性アームで構成された係止構造、網蓋の固定板及び配線溝で構成された投射ランプ取り付け構造、飼育箱上部の框条及び底部の凹溝で構成された積み重ね構造に対する改良に関するものであり、現在一般に使用されているが、実際の応用時には以下のような問題と欠点がある。
即ち、飼育箱の前後左右及び底面がいずれも封じられて、上面の網蓋が通気機能を具備するのみであるため、通気機能が非常に低く、特に二つ以上の飼育箱を積み重ねて使用する時は、その通気効果が更に悪くなり、飼育箱内部に異臭を排出しにくく、またペットの健康に影響を及ぼし、ペットに病気や不快感をもたらしやすい。
【０００３】
【特許文献１】台湾実用新案公告第４３９４０２号明細書
【考案の開示】
【考案が解決しようとする課題】
【０００４】
本考案は従来の技術における通気不良の問題と欠点を解決した爬虫類飼育箱装置を提供するものである。
【課題を解決するための手段】
【０００５】
請求項１の考案は、通気調整機能を具えた爬虫類飼育箱装置において、該爬虫類飼育箱装置はフレームと各側板片で組成された所定形状、サイズとされ且つ上部と両側に開放部が設けられた箱体とされ、該飼育箱装置のフレーム上部に蓋が設けられ、フレーム前面に開放部に対応して上下のスライドレールが設けられ、２片の開閉可能な戸板が設置され、フレーム両側の開放部の外側に対応する位置にそれぞれ糸網が設けられ、該フレーム両側の開放部の内側に対応する部分に上下のスライドレールが設けられ、２片の開閉可能な窓板が設けられ、窓板により飼育箱装置両側の空気の対流と不対流が調整可能であることを特徴とする、通気調整機能を具えた爬虫類飼育箱装置としている。
請求項２の考案は、請求項１記載の通気調整機能を具えた爬虫類飼育箱装置において、飼育箱装置の蓋の表面に開放部と糸網が設けられたことを特徴とする、通気調整機能を具えた爬虫類飼育箱装置としている。
請求項３の考案は、請求項１記載の通気調整機能を具えた爬虫類飼育箱装置において、飼育箱装置の２片の戸板に錠が設けられたことを特徴とする、通気調整機能を具えた爬虫類飼育箱装置としている。
請求項４の考案は、請求項１記載の通気調整機能を具えた爬虫類飼育箱装置において、飼育箱装置の前面板片に複数の通気孔を具えた板面が設けられたことを特徴とする、通気調整機能を具えた爬虫類飼育箱装置としている。
請求項５の考案は、請求項１記載の通気調整機能を具えた爬虫類飼育箱装置において、飼育箱装置の戸板の接続辺に密封パッドが設けられたことを特徴とする、通気調整機能を具えた爬虫類飼育箱装置としている。
【考案の効果】
【０００６】
本考案の通気調整機能を具えた爬虫類飼育箱装置は、飼育箱前方に多数の通気孔を具えた板面が設けられ、蓋の糸網と共同で上下の空気対流作用を形成し、該飼育箱の両側に開放部が設けられ、該開放部の外側に糸網が設けられ、該開放部の上部と底部の、框体と両側面板に対応する部分に上下の二つのスライドレールが設けられ、両側に窓板を設置するのに供され、この二つの窓板により飼育箱の通気機能が調整されて左右の空気対流作用が形成されることを特徴とする。
【考案を実施するための最良の形態】
【０００７】
図１、２は本考案の立体組合せ図及び立体分解図であり、図３、４は本考案の平面組合せ図と断面組合せ図である。飼育箱装置１は、所定のサイズのフレーム１０の前後左右及び底面に、５片の透明材料（例えばガラス、アクリル板等）で形成された前面板片１１、後面板片１２、左面板片１３、右面板片１４、底面板片１５が接着され、該フレーム１０の上部は開放され、並びに開放部の周囲に肩部１０１が形成されて蓋２０が嵌合される。
【０００８】
該蓋２０の表面に通気可能な開放部が設けられ、並びに開放部に糸網２１が設けられ、該糸網２１は通気可能であるほか、蚊や蠅の侵入を防止でき、該蓋２０の長辺に複数の挿入片２２と複数の弾性フック２３が設けられてフレーム１０の肩部１０１底部に挿入、係止され、該蓋２０の短辺に配線溝２４と投射ランプ固定片２５が設けられ、保温、照明用の投射ランプ（図示せず）の設置に供される。また、蟻や蛾の侵入を防止するため、糸網２１の上に通気スポンジ２６が設けられるほか、弾性フック２３と配線溝２４中が通気スポンジ条２７で塞がれる。
【０００９】
該飼育箱装置１の前面板片１１及び左面板片１３、右面板片１４の上半部は開放され、前面板片１１に複数の通気孔３１を具えた板面３０が設けられ、該通気孔３１の孔は僅かに１．５ｍｍとされ、一般の蚊や蠅よりも小さく、蚊や蠅の侵入を防止する。該フレーム１０の前面の、前面板片１１の開放部分に対応する部分に上下２列のスライドレール１０２、１０３が設けられ、前方の二つの戸板４０、４１の設置に供される。
【００１０】
二つの戸板４０、４１の間には錠５０が設けられ、二つの戸板４０、４１を閉じた時の施錠に供される。また、一方の戸板４０の接続辺に密封パッド４２が設けられ、該密封パッド４２ともう一方の戸板４１との密封保持作用により、蚊や蠅が隙間より飼育箱装置１内部に侵入するのを防止できる。
【００１１】
該フレーム１０にあって左面板片１３と右面板片１４の開放部分の外側に対応する位置に糸網６０が設けられ、該フレーム１０の左面板片１３と右面板片１４の開放部分の内側に対応する部分に上下２列のスライドレール１０４、１０５が設けられ、両側の各２つの窓板７０、７１の設置に供され、二つの窓板７０、７１がスライドレール１０４、１０５中で開閉可能とされ、これにより飼育箱装置１の左右両側の糸網６０の通気機能が調整される。
【００１２】
上述の各部品が組み合わされて本考案が構成され、それは通気調整機能を具えた爬虫類飼育箱装置であり、その実際の操作応用は以下のとおりである。
【００１３】
図５は本考案の通風通気状態表示図である。本考案の飼育箱装置１は、蓋２０の表面に糸網２１が設けられ、及び前面板片１１の上方の板面３０に複数の通気孔３１が設けられたことにより、飼育箱装置１内部の空気が外界の空気と上下の対流作用を形成できる。このほか、飼育箱装置１両側に更に糸網６０及び２つの開閉可能な窓板７０、７１が設けられている。
【００１４】
図６は暑い日に本考案の窓板を開放した状態を示す。飼育者は左右両側の窓板７０、７１を開放するだけで、飼育箱装置１内部の空気に外界の空気と左右対流作用を形成させて、積み重ねた状態でも良好な通風と降温効果を保持できる。
【００１５】
図７は寒い日に本考案の窓板を閉じた状態を示す。飼育者は左右両側の窓板７０、７１を閉じれば飼育箱装置１内部の空気に外界の空気と左右対流の作用を発生させないようにすることができ、これにより飼育箱装置１内部の温度が過度に下がるのを防止できる。
【００１６】
以上の本考案の通気調整機能を具えた爬虫類飼育箱装置は、実際に製造完成され反復操作試験したところ、本考案の予期された効果を確実に達成することが実証された。また、その構造は未だない新規なものであり、ゆえに本考案は実用性、新規性、及び進歩性及び産業上の利用性を有する考案である。
【図面の簡単な説明】
【００１７】
【図１】本考案の立体組合せ図である。
【図２】本考案の立体分解図である。
【図３】本考案の平面組合せ図である。
【図４】本考案の断面組合せ図である。
【図５】本考案の通風通気状態表示図である。
【図６】暑い日に本考案の窓板を開放した状態を示す図である。
【図７】寒い日に本考案の窓板を閉じた状態を示す図である。
【符号の説明】
【００１８】
１  飼育箱装置          １０  フレーム
１０１  肩部            １０２  スライドレール
１０３  スライドレール  １０４  スライドレール
１０５  スライドレール  １１  前面板片
１２  後面板片          １３  左面板片
１４  右面板片          １５  底面板片
２０  蓋                ２１  糸網
２２  挿入片            ２３  弾性フック
２４  配線溝            ２５  投射ランプ固定片
２６  通気スポンジ      ２７  通気スポンジ条
３０  板面              ３１  通気孔
４０  戸板              ４１  戸板
５０  錠
６０  糸網
７０  窓板              ７１  窓板
【図１】
0003110647.tif 000003
【図２】
0003110647.tif 000004
【図３】
0003110647.tif 000005
【図４】
0003110647.tif 000006
【図５】
0003110647.tif 000007
【図６】
0003110647.tif 000008
【図７】
0003110647.tif 000009